(57)【要約】【課題】  救急隊や医療機関における救急医療を支援するための救急医療支援システムを提供することを目的とする。【解決手段】  ユーザの属性情報を記憶するユーザ情報記憶部と，ユーザの医療履歴情報を記憶する医療履歴情報記憶部と，救急隊が利用する救急隊端末から，救急隊が搬送する傷病者であるユーザの検索条件を受け付けて，合致するユーザがいるかを検索する救急隊処理部と，を有しており，救急隊処理部は，合致するユーザがいた場合，ユーザ情報記憶部からそのユーザの属性情報の一部または全部を抽出して救急隊端末に送信し，医療履歴情報記憶部からそのユーザの医療履歴情報の一部または全部を抽出して救急隊端末に送信する，救急医療支援システムである。【選択図】  図１
2020204924.tif 000002
【特許請求の範囲】
【請求項１】
救急医療の支援を行う救急医療支援システムであって，
前記救急医療支援システムは，
ユーザの属性情報を記憶するユーザ情報記憶部と，
ユーザの医療履歴情報を記憶する医療履歴情報記憶部と，
救急隊が利用する救急隊端末から，前記救急隊が搬送する傷病者であるユーザの検索条件を受け付けて，合致するユーザがいるかを検索する救急隊処理部と，を有しており，
前記救急隊処理部は，
合致するユーザがいた場合，前記ユーザ情報記憶部からそのユーザの属性情報の一部または全部を抽出して前記救急隊端末に送信し，
前記医療履歴情報記憶部からそのユーザの医療履歴情報の一部または全部を抽出して前記救急隊端末に送信する，
ことを特徴とする救急医療支援システム。
【請求項２】
前記救急医療支援システムは，
前記医療機関が利用する医療機関端末との間で情報の送受信を行う医療機関処理部，を有しており，
前記医療機関処理部は，
前記救急隊端末から前記ユーザの搬送先となる医療機関の情報を受け付けると，前記搬送先となる医療機関が利用する医療機関端末に対して，前記ユーザの属性情報の一部または全部，前記ユーザの医療履歴情報の一部または全部を送信する，
ことを特徴とする請求項１に記載の救急医療支援システム。
【請求項３】
救急医療の支援を行う救急医療支援システムであって，
前記救急医療支援システムは，
ユーザの属性情報を記憶するユーザ情報記憶部と，
ユーザの医療履歴情報を記憶する医療履歴情報記憶部と，
医療機関が利用する医療機関端末から，傷病者であるユーザの検索条件を受け付けて，合致するユーザがいるかを検索する医療機関処理部，を有しており，
前記医療機関処理部は，
合致するユーザがいた場合，前記ユーザ情報記憶部からそのユーザの属性情報の一部または全部を抽出して前記医療機関端末に送信し，
前記医療履歴情報記憶部からそのユーザの医療履歴情報の一部または全部を抽出して前記医療機関端末に送信する，
ことを特徴とする救急医療支援システム。
【請求項４】
救急医療の支援を行う救急医療支援システムであって，
前記救急医療支援システムは，
ユーザの属性情報を記憶するユーザ情報記憶部と，
ユーザの医療履歴情報を記憶する医療履歴情報記憶部と，
救急出動の対象となる傷病者であるユーザの識別情報を受け付けて，合致するユーザがいるかを検索する指令センター処理部と，を有しており，
前記指令センター処理部は，
合致するユーザがいた場合，前記ユーザ情報記憶部からそのユーザの属性情報の一部または全部を抽出して，消防指令センターが利用するコンピュータシステムに送信し，
前記医療履歴情報記憶部からそのユーザの医療履歴情報の一部または全部を抽出して前記コンピュータシステムに送信する，
ことを特徴とする救急医療支援システム。
【請求項５】
前記コンピュータシステムは，
前記受け付けたユーザの属性情報，医療履歴情報の一部または全部を，前記ユーザを搬送する救急隊が利用する救急隊端末に対して，前記ユーザの属性情報，医療履歴情報の一部または全部を送信する，
ことを特徴とする請求項４に記載の救急医療支援システム。
【請求項６】
前記指令センター処理部は，
前記消防指令センターで受け付けた１１９番通報がなされた電話番号を，前記消防指令センターが利用するコンピュータシステムから受け取り，その電話番号に基づいて，前記ユーザ情報記憶部に記憶するユーザの属性情報を検索し，
前記合致した電話番号に対応するユーザの医療履歴情報を前記医療履歴情報記憶部から検索し，
前記検索した属性情報，医療履歴情報の一部または全部を抽出して，前記コンピュータシステム，前記救急隊端末または前記医療機関端末に送る，
ことを特徴とする請求項４または請求項５に記載の救急医療支援システム。
【請求項７】
前記救急医療支援システムは，
前記ユーザの通院および／または入院に関する情報を医療履歴情報として受け付けて，前記医療履歴情報記憶部に記憶させる医療履歴情報登録処理部，を有しており，
前記医療履歴情報として，日付，通院および／または入院した医療機関，診療科目，病状のうちいずれか一以上を含む，
ことを特徴とする請求項１から請求項６のいずれかに記載の救急医療支援システム。
【請求項８】
前記医療履歴情報登録処理部は，
前記ユーザが利用するユーザ端末において，処方箋および／またはレセプトの画像に対してＯＣＲ解析をして抽出した医療履歴情報を受け付ける，
ことを特徴とする請求項７に記載の救急医療支援システム。
【請求項９】
前記救急医療支援システムは，
前記ユーザの属性情報を受け付けて，前記ユーザ情報記憶部に記憶させるユーザ情報登録処理部，を有しており，
前記ユーザ情報登録処理部は，
前記ユーザに家族として関連付けるほかのユーザの属性情報の登録を受け付ける，
ことを特徴とする請求項１から請求項８のいずれかに記載の救急医療支援システム。
【請求項１０】
前記ユーザ情報登録処理部は，
前記家族として関連付けたユーザの医療履歴情報を受け付けて，前記医療履歴情報記憶部に記憶させる，
ことを特徴とする請求項９に記載の救急医療支援システム。
【請求項１１】
前記救急医療支援システムは，
前記ユーザに関連付けた家族の属性情報を抽出して救急隊端末または医療機関端末に送り，
前記救急隊端末または前記医療機関端末から，前記抽出した家族の属性情報における連絡先情報に基づいて，前記関連付けた家族であるユーザに通知をさせる，
ことを特徴とする請求項９または請求項１０に記載の救急医療支援システム。
【請求項１２】
前記救急医療支援システムは，
通報を行ったユーザと，救急活動を必要とするユーザとが相違する場合，救急活動を必要とするユーザに関連付けている家族の属性情報を抽出して前記救急隊端末または前記医療機関端末に送る，
ことを特徴とする請求項９または請求項１０に記載の救急医療支援システム。
【請求項１３】
コンピュータを，
救急隊が利用する救急隊端末から，前記救急隊が搬送する傷病者であるユーザの検索条件を受け付けて，合致するユーザがいるかを検索する救急隊処理部として機能させる救急医療支援プログラムであって，
前記救急隊処理部は，
合致するユーザがいた場合，ユーザの属性情報を記憶するユーザ情報記憶部からそのユーザの属性情報の一部または全部を抽出して前記救急隊端末に送信し，
ユーザの医療履歴情報を記憶する医療履歴情報記憶部からそのユーザの医療履歴情報の一部または全部を抽出して前記救急隊端末に送信する，
ことを特徴とする救急医療支援プログラム。
【請求項１４】
コンピュータを，
医療機関が利用する医療機関端末から，傷病者であるユーザの検索条件を受け付けて，合致するユーザがいるかを検索する医療機関処理部として機能させる救急医療支援プログラムであって，
前記医療機関処理部は，
合致するユーザがいた場合，ユーザの属性情報を記憶するユーザ情報記憶部からそのユーザの属性情報の一部または全部を抽出して前記医療機関端末に送信し，
ユーザの医療履歴情報を記憶する医療履歴情報記憶部からそのユーザの医療履歴情報の一部または全部を抽出して前記医療機関端末に送信する，
ことを特徴とする救急医療支援プログラム。
【請求項１５】
コンピュータを，
救急出動の対象となる傷病者であるユーザの識別情報を受け付けて，合致するユーザがいるかを検索する指令センター処理部として機能させる救急医療支援プログラムであって，
前記指令センター処理部は，
合致するユーザがいた場合，ユーザの属性情報を記憶するユーザ情報記憶部からそのユーザの属性情報の一部または全部を抽出して，消防指令センターが利用するコンピュータシステムに送信し，
ユーザの医療履歴情報を記憶する医療履歴情報記憶部からそのユーザの医療履歴情報の一部または全部を抽出して前記コンピュータシステムに送信する，
ことを特徴とする救急医療支援プログラム。
【発明の詳細な説明】
【技術分野】
【０００１】
本発明は，救急隊や医療機関における救急医療を支援するための救急活動支援システムに関する。
【背景技術】
【０００２】
傷病者が発生した場合，本人またはその近隣にいる人によって１１９番通報（救急車を呼ぶための通報）がなされる。１１９番通報を受けて消防指令センターは，救急隊に出動要請を行い，救急隊が出動をする。
【０００３】
傷病者がいる現場に救急隊が到着した場合，救急隊員は傷病者の状況などを確認するとともに救急活動を開始する。この際に，傷病者と会話ができる場合には傷病者から，傷病者と会話ができない場合には周囲にいる者，たとえば通報者などから，傷病の状況のほか，既往歴，アレルギーの有無，服用している医薬品，通院している病院など，救急活動にあたってさまざまな情報の聞き取りを行う。
【０００４】
聞き取った情報は，傷病者が搬送された医療機関の医師や看護師などの医療従事者に伝達される。また医療機関の医療従事者は，必要に応じて，傷病者に直接，聞き取りを行う場合がある。
【０００５】
しかし，傷病者が会話できない状況であると，救急隊員や医療従事者は，周囲の人から聞き取りを行うが，通常，既往歴や医薬品，通院している病院など，救急医療に必要な情報は要配慮個人情報であることから，家族以外は知らないことがほとんどであるし，家族ですら知らない場合もある。そのため，周囲に家族がいない場合，あるいは家族がいる場合でも，何ら情報が得られないことがある。そのような場合であっても，医師は，何ら情報がないまま，とりあえず現在の状況に応じた救急医療を開始しなければならない。
【０００６】
また，傷病者が会話できる状況であっても，すべての情報を記憶しているとは限らず，また傷病者は医療の専門家ではないので，記憶に誤りがある可能性がある。そのため，この場合も医師は，不確実性のある情報のまま救急治療を開始することとなる。
【０００７】
このように，救急医療の現場においては，常に情報が不足または不確実な情報で治療を行わなければならない実務上の課題がある。
【０００８】
救急搬送に関する支援システムとして，たとえば下記特許文献１がある。また，患者情報を提示するシステムとして下記特許文献２がある。
【先行技術文献】
【特許文献】
【０００９】
【特許文献１】特開２０１７−９１１２０号公報
【特許文献２】特開２０１７−９７８１７号公報
【発明の概要】
【発明が解決しようとする課題】
【００１０】
特許文献１のシステムを用いた場合，救急隊員が入力した情報を，搬送先の医療機関に伝達することができる。しかし，そもそも救急隊員が傷病者と会話ができなければ，患者の既往歴や服用している医薬品，通院している病院などの情報を得ることはできない。
【００１１】
また，特許文献２のシステムを用いた場合，複数の医療機関で患者情報を共有することができるものの，搬送先の医療機関が提携している医療機関に傷病者が通院をしていなければ患者情報を得ることができない。また，そもそも傷病者が会話ができなければ，通院先の病院の情報自体を得ることができないので，かかるシステムを用いたとしても，その患者情報を得ることが容易ではない。さらに，仮に搬送先の医療機関が提携している医療機関に傷病者が通院をしている場合であっても，傷病者がその医療機関だけに通院しているとは限らないことから，ほかの医療機関における既往歴，服用した医薬品の情報などを知ることができない。
【００１２】
このように，従来のシステムを用いた場合であっても，救急医療の現場における，不足する情報や不確実な情報のもとで救急医療を行わなければならないという実務上の課題を解決することはできない。
【課題を解決するための手段】
【００１３】
そこで本発明者は上記課題に鑑み，救急医療支援システムを発明した。
【００１４】
第１の発明は，救急医療の支援を行う救急医療支援システムであって，前記救急医療支援システムは，ユーザの属性情報を記憶するユーザ情報記憶部と，ユーザの医療履歴情報を記憶する医療履歴情報記憶部と，救急隊が利用する救急隊端末から，前記救急隊が搬送する傷病者であるユーザの検索条件を受け付けて，合致するユーザがいるかを検索する救急隊処理部と，を有しており，前記救急隊処理部は，合致するユーザがいた場合，前記ユーザ情報記憶部からそのユーザの属性情報の一部または全部を抽出して前記救急隊端末に送信し，前記医療履歴情報記憶部からそのユーザの医療履歴情報の一部または全部を抽出して前記救急隊端末に送信する，救急医療支援システムである。
【００１５】
本発明のように構成することで，傷病者があらかじめ属性情報や医療履歴情報を記憶していれば，それらの情報を救急隊に提供することができる。そのため，救急隊は，傷病者について，従来よりも精度の高い情報を得ることができ，その活動の際に役立てることができる。
【００１６】
上述の発明において，前記救急医療支援システムは，前記医療機関が利用する医療機関端末との間で情報の送受信を行う医療機関処理部，を有しており，前記医療機関処理部は，前記救急隊端末から前記ユーザの搬送先となる医療機関の情報を受け付けると，前記搬送先となる医療機関が利用する医療機関端末に対して，前記ユーザの属性情報の一部または全部，前記ユーザの医療履歴情報の一部または全部を送信する，救急医療支援システムのように構成することができる。
【００１７】
本発明のように構成することで，救急隊が傷病者（ユーザ）を搬送する先となる医療機関に対しても，医療機関に当該ユーザが医療機関に到着する前に確度の高い情報を送ることができる。そのため，医療機関の医療従事者は，ユーザの搬送中の傷病の状況のほか，確度の高い過去の情報を知ることもできるので，従来よりも傷病の予測や処置の内容などを事前に検討しておくこともできる。
【００１８】
第３の発明は，救急医療の支援を行う救急医療支援システムであって，前記救急医療支援システムは，ユーザの属性情報を記憶するユーザ情報記憶部と，ユーザの医療履歴情報を記憶する医療履歴情報記憶部と，医療機関が利用する医療機関端末から，傷病者であるユーザの検索条件を受け付けて，合致するユーザがいるかを検索する医療機関処理部と，を有しており，前記医療機関処理部は，合致するユーザがいた場合，前記ユーザ情報記憶部からそのユーザの属性情報の一部または全部を抽出して前記医療機関端末に送信し，前記医療履歴情報記憶部からそのユーザの医療履歴情報の一部または全部を抽出して前記医療機関端末に送信する，救急医療支援システムである。
【００１９】
本発明のように構成することで，傷病者があらかじめ属性情報や医療履歴情報を記憶していれば，それらの情報を医療機関に提供することができる。そのため，医療機関は，傷病者について，従来よりも精度の高い情報を得ることができ，その救急医療の際に役立てることができる。
【００２０】
第４の発明は，救急医療の支援を行う救急医療支援システムであって，前記救急医療支援システムは，ユーザの属性情報を記憶するユーザ情報記憶部と，ユーザの医療履歴情報を記憶する医療履歴情報記憶部と，救急出動の対象となる傷病者であるユーザの識別情報を受け付けて，合致するユーザがいるかを検索する指令センター処理部と，を有しており，前記指令センター処理部は，合致するユーザがいた場合，前記ユーザ情報記憶部からそのユーザの属性情報の一部または全部を抽出して，消防指令センターが利用するコンピュータシステムに送信し，前記医療履歴情報記憶部からそのユーザの医療履歴情報の一部または全部を抽出して前記コンピュータシステムに送信する，救急医療支援システムである。
【００２１】
本発明のように構成することで，傷病者があらかじめ属性情報や医療履歴情報を記憶していれば，それらの情報を救急隊の活動を管理する消防指令センターに提供することができる。そのため，消防指令センターは，傷病者について，従来よりも精度の高い情報を得ることができる。
【００２２】
上述の発明において，前記コンピュータシステムは，前記受け付けたユーザの属性情報，医療履歴情報の一部または全部を，前記ユーザを搬送する救急隊が利用する救急隊端末に対して，前記ユーザの属性情報，医療履歴情報の一部または全部を送信する，救急医療支援システムのように構成することができる。
【００２３】
本発明のように構成することで，消防指令センターは，傷病者についての情報を救急出動する救急隊に対して提供することができる。そのため，救急隊は，自らが傷病者について検索を行わなくても，傷病者について，従来よりも精度の高い情報を得ることができ，その活動の際に役立てることができる。
【００２４】
上述の発明において，前記指令センター処理部は，前記消防指令センターで受け付けた１１９番通報がなされた電話番号を，前記消防指令センターが利用するコンピュータシステムから受け取り，その電話番号に基づいて，前記ユーザ情報記憶部に記憶するユーザの属性情報を検索し，前記合致した電話番号に対応するユーザの医療履歴情報を前記医療履歴情報記憶部から検索し，前記検索した属性情報，医療履歴情報の一部または全部を抽出して，前記コンピュータシステム，前記救急隊端末または前記医療機関端末に送る，救急医療支援システムのように構成することができる。
【００２５】
本発明のように構成することで，１１９番通報がなされた場合であっても，そのユーザの属性情報，医療履歴情報の一部または全部を抽出して送ることが可能となる。
【００２６】
上述の発明において，前記救急医療支援システムは，前記ユーザの通院および／または入院に関する情報を医療履歴情報として受け付けて，前記医療履歴情報記憶部に記憶させる医療履歴情報登録処理部，を有しており，前記医療履歴情報として，日付，通院および／または入院した医療機関，診療科目，病状のうちいずれか一以上を含む，救急医療支援システムのように構成することができる。
【００２７】
これらの情報は，傷病者に対して，現在，どのような救急医療をすればよいのかの判断のための重要な参考情報であるから，医療履歴情報としては，本発明のような情報を用いることが好ましい。
【００２８】
上述の発明において，前記医療履歴情報登録処理部は，前記ユーザが利用するユーザ端末において，処方箋および／またはレセプトの画像に対してＯＣＲ解析をして抽出した医療履歴情報を受け付ける，救急医療支援システムのように構成することができる。
【００２９】
日付や医療機関などは傷病者であっても入力しやすいが，とくに病状については，専門的な情報であるので，誤入力が発生しやすい情報である。そのため，処方箋やレセプトなどの画像を読み込み，ＯＣＲ解析をして自動的に入力をすることで，誤入力の発生を防止することができる。
【００３０】
上述の発明において，前記救急医療支援システムは，前記ユーザの属性情報を受け付けて，前記ユーザ情報記憶部に記憶させるユーザ情報登録処理部，を有しており，前記ユーザ情報登録処理部は，前記ユーザに家族として関連付けるほかのユーザの属性情報の登録を受け付ける，救急医療支援システムのように構成することができる。
【００３１】
家族に高齢者や子供（とくに低年齢児）などがいる場合，高齢者や子供が自ら情報を登録することが容易ではない場合もあるため，その家族が，自らのユーザ端末に当該高齢者や子供を家族として紐付けて登録しておくことが好ましい。それによって，自ら入力を行うことができないような高齢者や子供が搬送される場合にも本発明の救急医療支援システムを利用することができる。
【００３２】
上述の発明において，前記ユーザ情報登録処理部は，前記家族として関連付けたユーザの医療履歴情報を受け付けて，前記医療履歴情報記憶部に記憶させる，救急医療支援システムのように構成することができる。
【００３３】
医療履歴情報は，傷病者の過去の病状などを示す情報であるから，現在の救急医療を行うためには重要な情報である。一方，高齢者や子供が医療履歴情報を自ら登録することは容易ではない。そこで，本発明のように，高齢者や子供などの家族を紐付けて登録した場合，家族についての医療履歴情報も登録できるようにすることがよい。
【００３４】
上述の発明において，前記救急医療支援システムは，前記ユーザに関連付けた家族の属性情報を抽出して救急隊端末または医療機関端末に送り，前記救急隊端末または前記医療機関端末から，前記抽出した家族の属性情報における連絡先情報に基づいて，前記関連付けた家族であるユーザに通知をさせる，救急医療支援システムのように構成することができる。
【００３５】
本発明のように構成することで，ユーザに関連付けた家族に対しても，救急隊員や医療機関における医療従事者などが，通知を送ることが可能となる。
【００３６】
上述の発明において，前記救急医療支援システムは，通報を行ったユーザと，救急活動を必要とするユーザとが相違する場合，救急活動を必要とするユーザに関連付けている家族の属性情報を抽出して前記救急隊端末または前記医療機関端末に送る，救急医療支援システムのように構成することができる。
【００３７】
通報を行ったユーザは，救急活動を必要とするユーザ（搬送されるユーザ）が搬送されることを知っているので通知を行う必要はない。一方，ほかの家族は搬送されることを知らないので，通知を行う必要がある。そして，通報を行ったユーザは気が動転するなどして，自らほかの家族に対して連絡をすることが容易ではない場合もある。そこで，本発明によって，自らがほかの家族に対して連絡を行わなくても，ほかの家族は搬送されたことを知ることができる。
【００３８】
第１の発明の救急医療支援システムは，本発明のプログラムをコンピュータに読み込ませて実行することで実現することができる。すなわち，コンピュータを，救急隊が利用する救急隊端末から，前記救急隊が搬送する傷病者であるユーザの検索条件を受け付けて，合致するユーザがいるかを検索する救急隊処理部として機能させる救急医療支援プログラムであって，前記救急隊処理部は，合致するユーザがいた場合，ユーザの属性情報を記憶するユーザ情報記憶部からそのユーザの属性情報の一部または全部を抽出して前記救急隊端末に送信し，ユーザの医療履歴情報を記憶する医療履歴情報記憶部からそのユーザの医療履歴情報の一部または全部を抽出して前記救急隊端末に送信する，救急医療支援プログラムのように構成することができる。
【００３９】
第３の発明の救急医療支援システムは，本発明のプログラムをコンピュータに読み込ませて実行することで実現することができる。すなわち，コンピュータを，医療機関が利用する医療機関端末から，傷病者であるユーザの検索条件を受け付けて，合致するユーザがいるかを検索する医療機関処理部として機能させる救急医療支援プログラムであって，前記医療機関処理部は，合致するユーザがいた場合，ユーザの属性情報を記憶するユーザ情報記憶部からそのユーザの属性情報の一部または全部を抽出して前記医療機関端末に送信し，ユーザの医療履歴情報を記憶する医療履歴情報記憶部からそのユーザの医療履歴情報の一部または全部を抽出して前記医療機関端末に送信する，救急医療支援プログラムのように構成することができる。
【００４０】
第４の発明の救急医療支援システムは，本発明のプログラムをコンピュータに読み込ませて実行することで実現することができる。すなわち，コンピュータを，救急出動の対象となる傷病者であるユーザの識別情報を受け付けて，合致するユーザがいるかを検索する指令センター処理部として機能させる救急医療支援プログラムであって，前記指令センター処理部は，合致するユーザがいた場合，ユーザの属性情報を記憶するユーザ情報記憶部からそのユーザの属性情報の一部または全部を抽出して，消防指令センターが利用するコンピュータシステムに送信し，ユーザの医療履歴情報を記憶する医療履歴情報記憶部からそのユーザの医療履歴情報の一部または全部を抽出して前記コンピュータシステムに送信する，救急医療支援プログラムのように構成することができる。
【発明の効果】
【００４１】
本発明の救急医療支援システムを用いることで，救急医療の現場における，不足する情報や不確実な情報のもとで救急医療を行わなければならないという実務上の課題について，従来よりも精度の高い情報提供を行えるという点で資することとなる。
【図面の簡単な説明】
【００４２】
【図１】本発明の救急医療支援システムの全体の構成の一例を模式的に示す概念図である。
【図２】本発明の救急医療支援システムで用いるコンピュータのハードウェア構成の一例を模式的に示す図である。
【図３】本発明の救急医療支援システムにおけるユーザ情報登録処理の処理プロセスの一例を示すフローチャートである。
【図４】本発明の救急医療支援システムにおける診察券情報登録処理の処理プロセスの一例を示すフローチャートである。
【図５】本発明の救急医療支援システムにおける保険証情報登録処理の処理プロセスの一例を示すフローチャートである。
【図６】本発明の救急医療支援システムにおける免許証情報登録処理の処理プロセスの一例を示すフローチャートである。
【図７】本発明の救急医療支援システムにおける医療履歴情報登録処理の処理プロセスの一例を示すフローチャートである。
【図８】本発明の救急医療支援システムにおける救急隊処理の処理プロセスの一例を示すフローチャートである。
【図９】本発明の救急医療支援システムにおける医療機関処理の処理プロセスの一例を示すフローチャートである。
【図１０】ログイン画面の一例を示す図である。
【図１１】プロフィール登録画面の一例を示す図である。
【図１２】画像登録画面の一例を示す図である。
【図１３】トップ画面の一例を示す図である。
【図１４】診察券登録画面の一例を示す図である。
【図１５】診察券の新規登録画面の一例を示す図である。
【図１６】診察券を撮影するための画面の一例を示す図である。
【図１７】診察券情報の詳細画面の一例を示す図である。
【図１８】診察券の裏面登録画面の一例を示す図である。
【図１９】診察券の表面，裏面の処理の終了後の診察券登録画面の一例を示す図である。
【図２０】保険証登録画面の一例を示す図である。
【図２１】保険証を撮影するための画面の一例を示す図である。
【図２２】保険証情報の詳細画面の一例を示す図である。
【図２３】保険証の裏面登録画面の一例を示す図である。
【図２４】免許証登録画面の一例を示す図である。
【図２５】免許証を撮影するための画面の一例を示す図である。
【図２６】免許証情報の詳細画面の一例を示す図である。
【図２７】免許証の裏面登録画面の一例を示す図である。
【図２８】医療関連情報を登録した後のトップ画面の一例を示す図である。
【図２９】通院履歴が選択された場合の通院・入院履歴追加画面の一例を示す図である。
【図３０】通院履歴の詳細画面の一例を示す図である。
【図３１】通院履歴の処方箋やレセプトの画像情報，詳細情報を入力した詳細画面の一例を示す図である。
【図３２】通院履歴を登録した後のトップ画面の一例を示す図である。
【図３３】入院履歴が選択された場合の通院・入院履歴追加画面の一例を示す図である。
【図３４】入院履歴の詳細画面の一例を示す図である。
【図３５】入院履歴の処方箋やレセプトの画像情報，詳細情報を入力した詳細画面の一例を示す図である。
【図３６】入院履歴を登録した後のトップ画面の一例を示す図である。
【図３７】操作画面の一例を示す図である。
【図３８】管理システムから送られたユーザの情報を表示した操作画面の一例を示す図である。
【図３９】本発明の救急医療支援システムにおける家族情報登録処理の処理プロセスの一例を示すフローチャートである。
【図４０】家族一覧画面の一例を示す図である。
【図４１】家族情報入力画面の一例を示す図である。
【図４２】登録完了画面の一例を示す図である。
【図４３】追加された家族の情報が表示された家族一覧画面の一例を示す図である。
【図４４】追加された家族のトップ画面の一例を示す図である。
【図４５】実施例５における救急医療支援システムの全体の構成の一例を模式的に示す概念図である。
【図４６】家族の選択画面の一例を示す図である。
【図４７】発信画面の一例を示す図である。
【発明を実施するための形態】
【００４３】
本発明の救急医療支援システム１の全体の構成の一例を図１に示す。また，本発明の救急医療支援システム１で用いるコンピュータのハードウェア構成の一例を図２に示す。
【００４４】
救急医療支援システム１は，管理システム２とユーザ端末３と救急隊端末４と医療機関端末５とを用いる。
【００４５】
管理システム２，ユーザ端末３，救急隊端末４，医療機関端末５は，サーバやパーソナルコンピュータ，可搬型通信端末などのコンピュータによって実現される。コンピュータは，プログラムの演算処理を実行するＣＰＵなどの演算装置７０と，情報を記憶するＲＡＭやハードディスクなどの記憶装置７１と，ディスプレイなどの表示装置７２と，情報の入力を行う入力装置７３と，演算装置７０の処理結果や記憶装置７１に記憶する情報の通信を行う通信装置７４とを有している。なお，コンピュータがタッチパネルディスプレイを備えている場合には，入力装置７３と表示装置７２とが一体的に構成されていてもよい。タッチパネルディスプレイは，たとえばユーザ，救急隊員，医療機関の医師や看護師などの医療従事者，それらの支援者が利用するタブレット型コンピュータやスマートフォンなどの可搬型通信端末などで利用されることが多いが，それに限定するものではない。
【００４６】
タッチパネルディスプレイは，そのディスプレイ上で，直接，所定の入力デバイス（タッチパネル用のペンなど）や指などによって入力が行える点で，表示装置７２と入力装置７３の機能が一体化した装置である。
【００４７】
各コンピュータは一台でその機能が実現されていてもよいし，その機能が複数台によって実現されていてもよい。その場合のコンピュータとして，たとえばクラウドサーバであってもよい。
【００４８】
さらに，本発明の救急医療支援システム１における各手段は，その機能が論理的に区別されているのみであって，物理上あるいは事実上は同一の領域を為していてもよい。
【００４９】
ユーザ端末３とは，本発明における救急医療支援システム１を用いて，自らの情報などを登録するユーザが利用する通信端末であって，一般的には携帯電話，スマートフォンなどの可搬型通信端末が該当するが，それに限定されない。救急隊を呼ぶ傷病者がユーザであることが多いが，それに限定されず，たとえば傷病者の家族，親族なども該当する。
【００５０】
救急隊端末４は，現場に出動する救急隊の救急隊員が利用する可搬型通信端末であり，管理システム２と情報の送受信を行う。救急隊端末４には，音声入力機能，撮影装置などの生体情報の読取装置が備えられていてもよい。
【００５１】
医療機関端末５は，病院などの医療機関で利用されるコンピュータであって，管理システム２と情報の送受信を行う。医療機関端末５には，音声入力機能，撮影装置などの生体情報の読取装置が備えられていてもよい。また救急搬送された傷病者に対する診断した傷病情報の入力を行えてもよい。
【００５２】
管理システム２は，ユーザ情報登録処理部２０とユーザ情報記憶部２１と医療履歴情報登録処理部２２と医療履歴情報記憶部２３と救急隊処理部２４と医療機関処理部２５とを有する。
【００５３】
ユーザ情報登録処理部２０はユーザの属性情報，生体情報，医療関連情報などのユーザに関連する情報（ユーザ情報）の入力をユーザ端末３から受け付けて，後述するユーザ情報記憶部２１に記憶させる。ユーザの属性情報としては，ユーザの氏名，生年月日のほか，電話番号，電子メールアドレス，ＳＮＳのＩＤ，通話アプリケーションのＩＤなどの連絡先情報が該当する。そのほかに性別，血液型，持病，常用薬など，救急医療において必要となるユーザ自身の情報が属性情報に含まれていてもよい。またユーザ情報登録処理部２０は，ユーザの医療関連情報として，医療機関の診察券の情報，保険証の情報，免許証の情報の登録を受け付けることが好ましい。またユーザの属性情報，生体情報，医療関連情報などのユーザ情報は，ユーザを一意に識別するユーザ識別情報と対応づけられていてもよい。ユーザ識別情報は，一意に定まるテキスト情報であることが好ましいが，ユーザ識別情報としてユーザの氏名や氏名に何らかの情報を付加した情報などを用いることもできる。
【００５４】
生体情報としては顔，指紋，掌紋，光彩，静脈パターンなど，当該ユーザが自らの氏名などを回答不能な場合に，救急隊員や医療従事者などが生体情報の読取装置を用いることで個人特定をすることが可能な情報であることが好ましい。なお，以下の説明では生体情報として顔を用いる場合を説明する。
【００５５】
ユーザ情報記憶部２１は，ユーザ情報登録処理部２０で受け付けたユーザの属性情報，生体情報，医療関連情報などのユーザ情報を記憶する。
【００５６】
医療履歴情報登録処理部２２は，ユーザの医療履歴に関する情報の入力をユーザ端末３から受け付けて，後述する医療履歴情報記憶部２３に記憶させる。医療履歴情報とは，ユーザが通院，入院した履歴に関する情報である。たとえば処方箋やレセプトなどを撮影した画像情報の入力をユーザ端末３から受け付け，それに対してＯＣＲ解析をすることなどで，受信した医療機関名，当該医療機関において当該患者を識別するための診察券番号（患者ＩＤ），診療科目，傷病名，投与された医薬品，処置された内容などの情報を医療履歴情報として抽出する。抽出した医療履歴情報は，医療履歴情報記憶部２３に記憶させる。また医療履歴情報を，処方箋やレセプトなどを撮影した画像情報からＯＣＲ解析するのではなく，ユーザによる入力を受け付けるのでもよい。
【００５７】
医療履歴情報記憶部２３は，医療履歴情報登録処理部２２で受け付けたユーザの医療履歴情報を記憶する。医療履歴情報記憶部２３は，ユーザ識別情報とそのユーザの医療履歴情報とを対応づけて記憶している。
【００５８】
救急隊処理部２４は，救急隊員が利用する救急隊端末４との間で情報の送受信を行う。たとえば救急隊が搬送する傷病者（ユーザ）の氏名などの属性情報，生体情報，医療関連情報などの検索条件の入力を救急隊端末４から受け付け，当該検索条件に合致するユーザがいるかをユーザ情報記憶部２１から検索する。もし合致するユーザがいた場合，そのユーザの属性情報，医療関連情報，生体情報，ユーザ識別情報の一部または全部をユーザ情報記憶部２１から抽出し，救急隊端末４に送る。また，あわせて，当該ユーザの医療履歴情報の一部または全部を医療履歴情報記憶部２３から検索して抽出し，救急隊端末４に送る。
【００５９】
救急隊処理部２４は，救急隊端末４から当該ユーザの搬送先となる医療機関の情報を受け付けた場合，当該医療機関の医療機関端末５に対して，当該ユーザの属性情報，ユーザ識別情報，生体情報，医療関連情報，医療履歴情報を送る。
【００６０】
医療機関処理部２５は，医療機関における医師や看護師，事務職員その他の医療従事者が利用する医療機関端末５との間で情報の送受信を行う。たとえば傷病者（傷病者）の氏名などの属性情報，生体情報，医療関連情報などの検索条件の入力を医療機関端末５から受け付け，当該検索条件に合致するユーザがいるかをユーザ情報記憶部２１から検索する。もし合致するユーザがいた場合，そのユーザの属性情報，医療関連情報，生体情報，ユーザ識別情報の一部または全部をユーザ情報記憶部２１から抽出し，医療機関端末５に送る。また，あわせて，当該ユーザの医療履歴情報の一部または全部を医療履歴情報記憶部２３から検索して抽出し，医療機関端末５に送る。
【実施例１】
【００６１】
つぎに本発明の救急医療支援システム１の処理プロセスの一例を図３乃至図９のフローチャートを用いて説明する。なお，図３乃至図９，後述する図３９のフローチャートにおける処理プロセスは一例であり，その処理の順序は，適宜，変更可能である。また，必要に応じて，その処理の一部を削除したり，あるいは別の処理を付加することもできる。
【００６２】
本発明の救急医療支援システム１を利用することを所望するユーザは，あらかじめ所定のアプリケーションソフトウェアを当該ユーザのユーザ端末３にダウンロードをし，インストールをしておく。インストールの際に，ユーザが当該アプリケーションソフトウェアにログインするための認証情報，たとえば電子メールアドレス，パスワードなどの入力をユーザ端末３から受け付け，ユーザ情報登録処理部２０は，それらをユーザ情報記憶部２１に記憶させる。この際に，当該ユーザに対してユーザ識別情報を発行し，ユーザ識別情報に対応づけて認証情報を記憶させておくとよい。
【００６３】
そしてユーザは，たとえば図１０に示すログイン画面から電子メールアドレス，パスワードなどの認証情報の入力を受け付け，認証処理が正常に行えた場合には，所定の操作を行うことで，属性情報の入力を受け付ける（Ｓ１００）。たとえばユーザは，図１１に示すプロフィール登録画面から氏名，その英表記，生年月日，電話番号などの属性情報の入力を行い，入力された属性情報をユーザ情報登録処理部２０で受け付け，ユーザ情報記憶部２１に記憶させる。また属性情報としては上記のほか，住所，性別，血液型，持病，常用薬など，救急医療において必要となるユーザ自身の情報を受け付けてもよい。
【００６４】
また，属性情報の入力後，顔画像などの生体情報の入力を受け付ける（Ｓ１１０）。たとえばユーザは，図１１に示すプロフィール登録画面から「写真を変更する」を選択することで，図１２に示す画像登録画面を表示させ，図１２の画像登録画面から「撮影する」，「アルバムから選択する」などの選択をする。ユーザ端末３のアプリケーションソフトウェアが「撮影する」の選択を受け付けた場合には，ユーザ端末３の撮影機能を起動し，撮影装置で撮影をする。そして，撮影した画像情報を管理システム２に送信し，それをユーザ情報登録処理部２０で受け付け，ユーザ情報記憶部２１に記憶させる。ユーザ端末３のアプリケーションソフトウェアが「アルバムから選択する」の選択を受け付けた場合には，ユーザ端末３のアルバム（画像情報を記憶するフォルダ）を表示させ，生体情報として用いる画像情報の選択を受け付ける。そして，選択された画像情報を管理システム２に送信し，それをユーザ情報登録処理部２０で受け付け，ユーザ情報記憶部２１に記憶させる。なお，顔画像の撮影の際には，撮影装置で画像情報のみならず，深さ情報を取得するようにしてもよい。それによって，画像情報のほかに深さ情報も取得できるので，立体的な顔の情報を取得でき，後述する救急隊処理部２４，医療機関処理部２５における検索処理の際に精度を向上させることができる。
【００６５】
また，「アルバムから選択する」を受け付けた場合には，ここで登録する生体情報としての顔画像は，氏名などが判明しないときに救急隊員や医療従事者などが顔撮影を行い，それとマッチングする画像として用いるものであることの通知をユーザ端末３で表示させ，ユーザが顔画像などの生体情報を正しく登録するように促すことが好ましい。このような通知をすることで，単に画面上に表示するアイコンとユーザに勘違いされ，生体情報とは全く異なる風景やキャラクターなどが登録されてしまうことを防止できる。
【００６６】
以上のような処理を行うことで，ユーザの属性情報，生体情報の登録処理を実行することができる。
【００６７】
次に，図１３に示すトップ画面から診察券，保険証，免許証などの医療関連情報の登録処理を行う場合を，図４乃至図６のフローチャートを用いて説明する。
【００６８】
ユーザがユーザ端末３において，トップ画面から，「診察券」を選択することで，診察券登録画面（図１４）が表示される。診察券登録画面では，診察券が登録されていれば，その情報が，登録されていない場合には図１４に示すように診察券は表示されない。そして，「診察券を追加する」が押下されることで，診察券の新規登録画面（図１５）が表示される。そして，診察券の登録画面の「写真を撮る」を選択することで，診察券を撮影するための画面（図１６）が表示される。この際に，矩形のガイド枠を表示し，その位置に診察券の表面が写るように撮影をする（Ｓ２００）。なお，ガイド枠はユーザの選択に応じて，非表示とすることもできる。
【００６９】
診察券を撮影するとユーザ端末３のアプリケーションソフトウェアでは診察券の画像情報に対してＯＣＲ処理を行い（Ｓ２１０），診察券の表面に記載されている情報のうち，医療機関名，電話番号，診察券番号などの診察券の詳細情報を抽出する（Ｓ２２０）。このような詳細画面の一例を図１７に示す。ＯＣＲ処理によって読み取った情報のうち，どの情報が，医療機関名，電話番号，診察券番号に該当するかは，各項目に対するルールに基づいて判定する。たとえば「医療法人」，「病院」，「診療所」などの医療機関の組織名を示す情報を含むテキスト情報は医療機関名と判定し，「ＴＥＬ」，「電話」，「電話番号」のテキスト情報の後に，所定桁数の数字とハイフン（−）とが並んでいる場合には電話番号と判定し，所定の桁数の数字などがある場合には「診察券番号」と判定する。なお，これらの判定ルールは任意に設定可能である。
【００７０】
なお，診察券の詳細情報のうち，読み取れなかった情報がある場合には，その入力欄を空白とし，ユーザからの入力を受け付ける。また，誤認識がある場合にもその修正入力を受け付ける。そして「登録」ボタンが押下されることで，診察券の表面の画像情報と抽出した詳細情報がユーザ端末３から管理システム２に送られ，それらをユーザ情報登録処理部２０で受け付けて，当該ユーザに対応づけて医療関連情報として記憶させる。
【００７１】
表面の登録後，所定の操作を行うことで，診察券の裏面を撮影するための画面（図１６）を表示させる。この際に，表面の撮影と同様に，矩形のガイド枠を表示してもよい。
【００７２】
ユーザは，同様に，診察券の裏面の撮影を行い（Ｓ２３０），撮影した裏面の画像情報が裏面登録画面（図１８）に表示される。そして裏面登録画面の「登録」ボタンが押下されることで，診察券の裏面の画像情報がユーザ端末３から管理システム２に送られ，それらをユーザ情報登録処理部２０で受け付けて，当該ユーザに対応づけて医療関連情報として記憶させる。
【００７３】
診察券の表面，裏面の処理の終了後，図１９に示す診察券登録画面には，登録した診察券の情報が追加されて表示される。また追加された診察券はトップ画面に反映される（Ｓ２４０）。
【００７４】
なお，複数の医療機関の診察券の登録処理を行う場合には，上述の各処理を反復すればよい。
【００７５】
また，ユーザがユーザ端末３において，トップ画面（図１３）から，「保険証」を選択することで，ユーザ端末３において保険証登録画面（図２０）が表示される。そして，保険証の登録画面の「写真を撮る」を選択することで，保険証を撮影するための画面（図２１）を表示させる。この際に，矩形のガイド枠を表示し，その位置に保険証の表面が写るように撮影をする（Ｓ３００）。なお，ガイド枠はユーザの選択に応じて，非表示とすることもできる。
【００７６】
保険証を撮影するとユーザ端末３のアプリケーションソフトウェアでは保険証の画像情報に対してＯＣＲ処理を行い（Ｓ３１０），保険証の表面の氏名，保険証の番号（記号，番号），住所，性別，生年月日などの詳細情報を抽出する（Ｓ３２０）。なお，氏名，生年月日，性別，住所などがユーザの属性情報としてすでに登録されている情報がある場合には，それらを反映してもよい。このような詳細画面の一例を図２２に示す。ＯＣＲ処理によって読み取った情報のうち，保険証の番号を登録するためには，保険証の番号のルール，たとえば所定桁数以内の数字とハイフンと所定桁数以内の数字のテキスト情報を保険証の番号と判定できる。診察券の場合と同様に，判定ルールは任意に設定可能である。
【００７７】
なお，診察券の詳細情報のうち，読み取れなかった情報がある場合には，その入力欄を空白とし，ユーザからの入力を受け付ける。また，誤認識がある場合にもその修正入力を受け付ける。そして「登録」ボタンが押下されることで，保険証の表面の画像情報と抽出した詳細情報がユーザ端末３から管理システム２に送られ，それらをユーザ情報登録処理部２０で受け付けて，当該ユーザに対応づけて医療関連情報として記憶させる。
【００７８】
表面の登録後，所定の操作を行うことで，保険証の裏面を撮影するための画面（図２１）を表示させる。この際に，表面の撮影と同様に，矩形のガイド枠を表示してもよい。
【００７９】
ユーザは，同様に，保険証の裏面の撮影を行い（Ｓ３３０），撮影した裏面の画像情報が裏面登録画面（図２３）に表示される。そして裏面登録画面の「登録」ボタンが押下されることで，保険証の裏面の画像情報がユーザ端末３から管理システム２に送られ，それらをユーザ情報登録処理部２０で受け付けて，当該ユーザに対応づけて医療関連情報として記憶させる。
【００８０】
保険証の表面，裏面の撮影の終了後，追加した保険証はトップ画面に反映される（Ｓ３４０）。
【００８１】
さらに，ユーザがユーザ端末３において，トップ画面（図１３）から，「免許証」を選択することで，免許証登録画面（図２４）が表示される。そして，免許証登録画面の「写真を撮る」を選択することで，免許証を撮影するための画面（図２５）を表示させる。この際に，矩形のガイド枠を表示し，その位置に免許証の表面が写るように撮影をする（Ｓ４００）。なお，ガイド枠はユーザの選択に応じて，非表示とすることもできる。
【００８２】
免許証の表面を撮影するとユーザ端末３のアプリケーションソフトウェアでは免許証の表面の画像情報に対してＯＣＲ処理を行い（Ｓ４１０），免許証の表面の免許証番号，住所，生年月日などの詳細情報を抽出する（Ｓ４２０）。なお，住所，生年月日などのユーザの属性情報としてすでに登録されている情報がある場合には，それらを反映してもよい。このような詳細画面の一例を図２６に示す。ＯＣＲ処理によって読み取った情報のうち，免許証番号を登録するためには，免許証番号のルール，たとえば所定の表示位置にある所定桁数の数字のテキスト情報を免許証番号と判定できる。診察券や保険証の場合と同様に，判定ルールは任意に設定可能である。
【００８３】
なお，免許証の詳細情報のうち，読み取れなかった情報がある場合には，その入力欄を空白とし，ユーザからの入力を受け付ける。また，誤認識がある場合にもその修正入力を受け付ける。そして「登録」ボタンが押下されることで，免許証の表面の画像情報と抽出した詳細情報がユーザ端末３から管理システム２に送られ，それらをユーザ情報登録処理部２０で受け付けて，当該ユーザに対応づけて医療関連情報として記憶させる。
【００８４】
表面の登録後，所定の操作を行うことで，免許証の裏面を撮影するための画面（図２５）を表示させる。この際に，表面の撮影と同様に，矩形のガイド枠を表示してもよい。
【００８５】
ユーザは，同様に，免許証の裏面の撮影を行い（Ｓ４３０），撮影した裏面の画像情報が裏面登録画面（図２７）に表示される。そして裏面登録画面の「登録」ボタンが押下されることで，免許証の裏面の画像情報がユーザ端末３から管理システム２に送られ，それらをユーザ情報登録処理部２０で受け付けて，当該ユーザに対応づけて医療関連情報として記憶させる。
【００８６】
免許証の表面，裏面の撮影の終了後，追加した免許証はトップ画面に反映される（Ｓ４４０）。
【００８７】
以上のような処理を実行することで，医療機関の診察券，保険証，免許証の情報を医療関連情報として登録することができる。保険証や免許証の裏面には，臓器提供に関する意思表示が記載されることがある。そのため，実際の確認の前に，その意思表示に関する情報を把握することができるので，救急隊員の救急活動や，医療従事者の医療行為において事前知識を与えることができる。なお，臓器提供に関する意思表示などの生死に関する意思表示については，後述する。医療関連情報として用いた診察券，保険証，免許証は一例であり，それらの一部だけであってもよい。また，異なる情報，たとえばマイナンバーカードなどの情報を登録してもよい。
【００８８】
次に，ユーザの通院や入院によって医療履歴情報を登録する処理を図７のフローチャートを用いて説明する。
【００８９】
ユーザが通院や入院をした場合，いつどの病院のどこ診療科目にどのような傷病名で通院，入院したのか，どのような処置がされたのか，どのような薬剤が処方されたのかなどの医療履歴情報をユーザ端末３のアプリケーションソフトウェアから入力を行う。そして，ユーザ端末３に入力された医療履歴情報とユーザ識別情報とを医療履歴情報受付処理部で受け付け（Ｓ５００），ユーザ識別情報に対応づけて医療履歴情報記憶部２３に記憶させる。
【００９０】
たとえばユーザが通院をした場合，ユーザ端末３において，図２８に示すトップ画面から「通院履歴」を選択することで，通院・入院履歴追加画面（図２９）が表示される。そして，「通院履歴」のタブを選択されていることを確認した上で，「履歴を追加する」の選択がなされることで，詳細画面（図３０）が表示される。表示された詳細画面に，通院日，病院名，診療科目，診断された病状などの入力を行う。そして「写真を撮る」などを選択することで，処方箋やレセプトなどの写真を撮影する（Ｓ５１０）。この状態の詳細画面の一例が図３１である。
【００９１】
なお，先に処方箋やレセプトの写真を撮影することで，その画像情報に対してＯＣＲ処理を行い，通院日，病院名，診療科目，診断された病状などをテキスト情報として認識し，詳細画面の各入力欄に反映してもよい。
【００９２】
そして，詳細画面の「登録する」が押下されることで，ユーザ端末３から管理システム２に対して，通院日，病院名，診療科目，診断された病状，処方箋やレセプトなどの画像情報が通院に関する医療履歴情報として，ユーザ識別情報とともに送られる。管理システム２の医療履歴情報登録処理部２２では，ユーザ端末３から送られたユーザ識別情報と医療履歴情報とを受け付け，医療履歴情報記憶部２３に記憶させる。また，ユーザ端末３では，登録された通院履歴の医療履歴情報について記憶され，トップ画面（図３２）に反映される（Ｓ５２０）。
【００９３】
一方，ユーザが入院をした場合，図２８に示すトップ画面から「入院履歴」を選択することで，通院・入院履歴追加画面（図３３）が表示される。そして，「入院履歴」のタブを選択されていることを確認した上で，「履歴を追加する」の選択がなされることで，詳細画面（図３４）が表示される。表示された詳細画面に，入院日，病院名，診療科目，診断された病状などの入力を行う。そして処方箋やレセプトなどの写真を撮影する（Ｓ５１０）。この状態の詳細画面の一例が図３５である。
【００９４】
なお，先に処方箋やレセプトの写真を撮影することで，その画像情報に対してＯＣＲ処理を行い，入院日，病院名，診療科目，診断された病状などをテキスト情報として認識し，詳細画面の各入力欄に反映してもよい。
【００９５】
そして，詳細画面の「登録する」が押下されることで，ユーザ端末３から管理システム２に対して，入院日，病院名，診療科目，診断された病状，処方箋やレセプトなどの画像情報が入院に関する医療履歴情報として，ユーザ識別情報とともに送られる。管理システム２の医療履歴情報登録処理部２２では，ユーザ端末３から送られたユーザ識別情報と医療履歴情報とを受け付け，医療履歴情報記憶部２３に記憶させる。また，ユーザ端末３では，登録された入院履歴の医療履歴情報について記憶され，トップ画面（図３６）に反映される（Ｓ５２０）。
【００９６】
以上のような処理を，ユーザが通院や入院のたびに行うことで，当該ユーザの通院や入院に関する医療履歴情報を蓄積することが可能となる。なお，ユーザが通院や入院をした医療機関を特定するためには，ユーザがユーザ端末３において所定の操作を行うことで，ＧＰＳ装置などの位置情報取得装置を起動し，それによって，緯度・経度などの位置情報を取得し，それと地図情報を照合することによって，通院や入院をした医療機関を特定することができる。すなわち，通院や入院をした医療機関において位置情報取得装置を起動しておけば，位置情報を取得してそれによって医療機関を特定することができる。
【００９７】
以上のように，ユーザの属性情報，生体情報，医療関連情報のほか，通院や入院の履歴である医療履歴情報を記憶しておくことによって，当該ユーザの医療に関する総合的な情報の把握が可能となる。
【００９８】
ユーザが急病や事故などによって救急隊が呼ばれた場合の処理プロセスの一例を図８のフローチャートを用いて説明する。
【００９９】
救急隊が現場に到着した場合，まずユーザ（傷病者）の傷病の状況や，氏名などを確認する。ここでユーザが会話をすることが可能な場合あるいはユーザの近くにいる人からユーザの情報を聴取することが可能な場合には，救急隊員は，ユーザの氏名，生年月日などの属性情報を確認し，救急隊端末４の操作画面（図３７）にそれらを入力する。あるいは，ユーザの情報を検索するための何らかの情報，たとえば電話番号，住所などを確認し，救急隊端末４の操作画面（図３７）にフリーワードとして入力をする。また口頭で聴取するほか，ユーザが免許証を所持している場合には名前や生年月日，診察券を所持している場合には名前のほかに病院名，何も所持していない場合には性別，年齢の範囲，病状などをフリーワードとして検索条件としてもよい。
【０１００】
このように操作画面（図３７）の左側情報の検索条件の入力欄に検索条件を入力して「検索」ボタンを押下する。なお，検索を行う前に，当該アプリケーションソフトウェアを当該ユーザが使用しているかを確認し，使用していない場合には検索をそもそも行わなくてもよい。
【０１０１】
また，ユーザが会話をすることができない場合などユーザの情報を聴取することができない場合には，救急隊員は，ユーザの生体情報を取得する。たとえば救急隊端末４の操作画面（図３７）で「写真を撮る」などのボタンを押下するなどの所定の操作をすることで救急隊端末４の撮影機能を起動し，撮影装置でユーザの顔を撮影する。そして撮影した顔の画像情報を検索条件として，「検索」ボタンを押下する。
【０１０２】
なお，生体情報として顔以外を用いる場合には，適宜，それに応じた処理を行えばよい。その場合，救急隊端末４には当該生体情報を取得するための必要な読取装置を備えている。たとえば生体情報が指紋の場合には指紋読取装置，静脈パターンの場合には静脈読取装置などがある。
【０１０３】
検索ボタンが押下されることで，救急隊端末４から管理システム２に対して，入力された氏名，生年月日などの属性情報，フリーワード，顔画像などの生体情報が検索条件として送られ，それらを救急隊処理部２４で受け付ける（Ｓ６００）。検索条件としての属性情報，フリーワード，顔画像などの生体情報を検索条件として受け付けた救急隊処理部２４は，その検索条件に基づいて，ユーザ情報記憶部２１を参照し，合致するユーザがいるかを検索する（Ｓ６１０）。
【０１０４】
合致するユーザがいなかった場合には（Ｓ６２０），合致しなかった結果を救急隊端末４に送り，救急隊端末４で表示させる。
【０１０５】
一方，合致するユーザがいた場合には（Ｓ６２０），該当したユーザの属性情報，生体情報，医療関連情報の一部または全部をユーザ情報記憶部２１から抽出する。また当該ユーザのユーザ識別情報に基づいて医療履歴情報記憶部２３を参照し，当該ユーザの医療履歴情報一部または全部を抽出する。そして救急隊処理部２４は，抽出したユーザの各情報を，救急隊端末４に送信する（Ｓ６３０）。
【０１０６】
救急隊端末４では，管理システム２から送られたユーザの情報をその操作画面に表示をする（Ｓ６４０）。この状態の操作画面の一例が図３８である。なお，図３８の操作画面の場合，検索条件に合致したユーザの一覧が操作画面の左欄にリスト化して表示される。そしてそのリストから一人を選択することで，選択されたユーザの情報が操作画面の右欄に表示される。
【０１０７】
そして当該ユーザを搬送する医療機関が決定すると，救急隊端末４は搬送先の医療機関名などの情報を操作画面（図３８）に入力し，所定の操作を行うことで，管理システム２に対して，搬送先の医療機関の医療機関端末５へのユーザの情報の送信指示を行う（Ｓ６５０）。この際には，操作画面の右欄に表示しているユーザのユーザ識別情報もあわせて送信する。これによって，検索条件に合致したユーザが複数いた場合に，どのユーザの情報を送信するかを特定できる。また，搬送先となる医療機関を入力するためには，その名称を入力してもよいし，プルダウンメニューから選択してもよいし，あるいは救急隊端末４が使用しているほかのコンピュータシステムから搬送先となる医療機関の情報を取得し，それを用いてもよい。
【０１０８】
この送信指示を受け付けた管理システム２の医療機関処理部２５は，当該ユーザの情報を当該搬送先となる医療機関の医療機関端末５に対して送信する（Ｓ６６０）。ここで送るユーザの情報は，救急隊処理部２４が救急隊端末４に送信した情報と同一であってもよいし，一部の情報であってもよいし，あるいは救急隊端末４には送らなかったが，ユーザ情報記憶部２１，医療履歴情報記憶部２３には記憶している情報も送るようにしてもよい。
【０１０９】
以上のような処理を行うことで，救急隊員は搬送するユーザについての確度の高い情報を把握することができる。また搬送先の医療機関に対しても，医療機関に当該ユーザが搬送される前に確度の高い情報を送ることができる。そのため，医療機関の医療従事者は，ユーザの搬送中の傷病の状況のほか，確度の高い過去の情報を知ることもできるので，従来よりも傷病の予測や処置の内容などを事前に検討しておくこともできる。
【０１１０】
つぎに，ユーザが急病や事故などによって医療機関に運ばれてきた場合の処理プロセスの一例を図９のフローチャートを用いて説明する。この場合の処理プロセスは，救急隊によって搬送されるのではなく，傷病者であるユーザが直接，タクシーなどで来る場合に有益である。なお，救急隊員が図８のフローチャートの処理を行う余裕がない場合にも対応できる。
【０１１１】
ユーザが医療機関に到着した場合，まずユーザ（傷病者）の傷病の状況や，氏名などを確認する。ここでユーザが会話をすることが可能な場合あるいはユーザの近くにいる人からユーザの情報を聴取することが可能な場合には，医療機関の医療従事者は，ユーザの氏名，生年月日などの属性情報を確認し，医療機関端末５の操作画面にそれらを入力する。あるいは，ユーザの情報を検索するための何らかの情報，たとえば電話番号，住所などを確認し，医療機関端末５の操作画面にフリーワードとして入力をする。また口頭で聴取するほか，ユーザが免許証を所持している場合には名前や生年月日，診察券を所持している場合には名前のほかに病院名，何も所持していない場合には性別，年齢の範囲，病状などをフリーワードとして検索条件としてもよい。
【０１１２】
このように操作画面の左側情報の検索条件の入力欄に検索条件を入力して「検索」ボタンを押下する。なお，検索を行う前に，当該アプリケーションソフトウェアを当該ユーザが使用しているかを確認し，使用していない場合には検索をそもそも行わなくてもよい。なお，医療機関端末５の操作画面は，救急隊端末４の操作画面（図３７）と同様であってもよい。
【０１１３】
また，ユーザが会話をすることができない場合などユーザの情報を聴取することができない場合には，医療従事者は，ユーザの生体情報を取得する。たとえば医療機関端末５の操作画面（図３７）で「写真を撮る」などのボタンを押下するなどの所定の操作をすることで医療機関端末５の撮影機能を起動し，撮影装置でユーザの顔を撮影する。そして撮影した顔の画像情報を検索条件として，「検索」ボタンを押下する。
【０１１４】
なお，生体情報として顔以外を用いる場合には，適宜，それに応じた処理を行えばよい。その場合，医療機関端末５には当該生体情報を取得するための必要な読取装置を備えている。たとえば生体情報が指紋の場合には指紋読取装置，静脈パターンの場合には静脈読取装置などがある。
【０１１５】
検索ボタンが押下されることで，医療機関端末５から管理システム２に対して，入力された氏名，生年月日などの属性情報，フリーワード，顔画像などの生体情報が検索条件として送られ，それらを救急隊処理部２４で受け付ける（Ｓ７００）。検索条件としての属性情報，フリーワード，顔画像などの生体情報を検索条件として受け付けた医療機関処理部２５は，その検索条件に基づいて，ユーザ情報記憶部２１を参照し，合致するユーザがいるかを検索する（Ｓ７１０）。
【０１１６】
合致するユーザがいなかった場合には（Ｓ７２０），合致しなかった結果を医療機関端末５に送り，医療機関端末５で表示させる。
【０１１７】
一方，合致するユーザがいた場合には（Ｓ７２０），該当したユーザの属性情報，生体情報，医療関連情報の一部または全部をユーザ情報記憶部２１から抽出する。また当該ユーザのユーザ識別情報に基づいて医療履歴情報記憶部２３を参照し，当該ユーザの医療履歴情報一部または全部を抽出する。そして医療機関処理部２５は，抽出したユーザの各情報を，医療機関端末５に送信する（Ｓ７３０）。この場合，上述で救急隊処理部２４が救急隊端末４に送信する情報と，医療機関処理部２５が医療機関端末５に送信する情報とを同じとしてもよいし，変えてもよい。すなわち，前者は救急活動に必要な情報を送り，後者は救急医療に必要な情報を送ることで，ユーザの機微情報を保護しながら，必要な情報を提供することができる。
【０１１８】
医療機関端末５では，管理システム２から送られたユーザの情報をその操作画面に表示をする（Ｓ７４０）。この状態の操作画面も，救急隊端末４の操作画面（図３８）と同様であってもよい。
【０１１９】
以上のような処理を行うことで，医療機関の医療従事者に対して，傷病者であるユーザの確度の高い情報を送ることができる。そのため，医療機関の医療従事者は，確度の高い過去の情報を知ることもできるので，従来よりも適切に，傷病の予測や処置や処置の内容などを検討することができる。
【実施例２】
【０１２０】
実施例１では，ユーザを搬送する医療機関の医療機関端末５に情報を送る場合を説明したが，ほかの医療機関端末５における電子カルテの情報を，搬送先の医療機関の医療機関端末５に送るようにしてもよい。
【０１２１】
この場合，医療機関側において，当該患者の電子カルテへのアクセスを許可する設定がされている。そして，医療期間処理部２５は，ユーザの医療関連情報の医療機関名などに基づいて，過去に通院歴，入院歴などがある医療機関を特定する。特定した医療機関が利用する医療機関端末５に対して，医療関連情報のうち，その医療機関においてそのユーザを特定する診察券番号と電子カルテの情報の送信要求を送る。
【０１２２】
この送信要求を受け付けた医療機関端末５は，受け付けた診察券番号に基づいてその医療機関で用いている電子カルテシステムにアクセスして，当該ユーザの電子カルテの情報を抽出する。そして，抽出した電子カルテの情報を，医療機関端末５から管理システム２に送る。
【０１２３】
管理システム２で受け付けた電子カルテの情報は，救急隊処理部２４が当該ユーザを搬送する救急隊の救急隊端末４へ送ったり，あるいは医療機関処理部２５が，救急センターが利用するコンピュータシステム，ほかの医療機関（ユーザの搬送先となる医療機関）が利用する医療機関端末５に送信する。
【０１２４】
これによって，電子カルテの情報を共有化することができる。なお，電子カルテの情報は，各医療機関が利用している電子カルテシステムでフォーマットが相違するため，ほかの医療機関が利用する電子カルテの情報をそのままでは閲覧することができない場合もある。そこで，管理システム２が，電子カルテの情報を受け付けた医療機関の電子カルテの情報を，電子カルテの情報を送った医療機関の電子カルテシステムの種別と，電子カルテの情報を送る医療機関が利用する電子カルテシステムの種別とに基づいて，フォーマット変換をした上で送るようにしてもよい。
【０１２５】
あるいは医療機関端末５は電子カルテの情報を送る際に，それを画像情報やＰＤＦなどの一般的に閲覧可能な形式に変換した上で，管理システム２に送るようにしてもよい。これによって，電子カルテシステムのフォーマットに影響されることなく，ほかの医療機関，救急隊などでも電子カルテの情報を閲覧することができる。
【０１２６】
さらに，管理システム２を介さずに，電子カルテの情報を送る医療機関端末５が，直接，救急隊端末４，搬送先の医療機関の医療機関端末５，救急センターが利用するコンピュータシステムなどに電子カルテの情報を送るようにしてもよい。この方法を採る場合には，医療機関処理部２５が送る電子カルテの情報の送信要求に，救急隊端末４，搬送先の医療機関の医療機関端末５，救急センターのコンピュータシステムなど，情報の送信先となる情報を含めて送ることがよい。
【実施例３】
【０１２７】
本発明の救急医療支援システム１の別の実施態様として，ユーザ情報として，ユーザ本人の情報のほか，ユーザの家族情報を受け付けて，家族情報を登録できるようにしてもよい。家族に高齢者や子供（とくに低年齢児）などがいる場合，高齢者や子供が自ら情報を登録することが容易ではない場合もあるため，その家族が，自らのユーザ端末３に当該高齢者や子供を家族として関連づけて登録し，高齢者や子供の属性情報，医療履歴情報などを登録しておくことで，高齢者や子供が搬送される場合にも本発明の救急医療支援システム１を利用することができる。
【０１２８】
この場合，ユーザ情報登録処理部２０は，実施例１および実施例２のほかに，当該ユーザの家族情報を受け付けて，ユーザ情報記憶部２１に記憶をさせる。また，ユーザ情報記憶部２１は，ユーザ情報登録処理部２０で受け付けたユーザの属性情報，生体情報，医療関連情報に加えて，家族情報をユーザ情報として記憶する。
【０１２９】
ユーザは自らの家族に関する情報を登録する場合の処理プロセスを図３９に示す。
【０１３０】
ユーザが家族に関する情報を登録する場合，ユーザ端末３に表示されるトップ画面（たとえば図３６）において所定の操作，たとえば「家族情報」を押下することで，家族一覧画面（図４０）を表示する。そして，家族一覧画面において，家族の追加操作，たとえば「家族を追加する」の選択を受け付けることで（Ｓ８００），その情報がユーザ端末３から管理システム２に送られる。管理システム２のユーザ情報登録処理部２０は，送られた情報を受け付けると，当該追加する家族に対するユーザ識別情報と，家族情報を追加するための招待コードなどの追加用情報を発行する（Ｓ８１０）。ここでは追加用情報として「ｔＯｎＢｉｓＣｊＭＦ」が発行されている。そして発行したユーザ識別情報と追加用情報とをユーザ端末３に送る。
【０１３１】
ユーザ端末３では，発行された追加用情報を表示し，家族情報の入力とを行う家族情報入力画面（図４１）が表示される。ユーザは，家族情報入力画面に，追加する家族の氏名，英表記，電話番号，生年月日などのユーザの属性情報の入力と同じ情報を入力し，「家族を追加登録する」などが押下されることで，ユーザ端末３から管理システム２に対して追加する家族の属性情報が送られ，それをユーザ情報登録処理部２０で受け付ける（Ｓ８２０）。また，顔などの生体情報を送る場合には，家族情報入力画面（図４１）における「写真を撮る」などが押下されることで，ユーザ端末３の撮影機能を起動し，追加する家族の顔を撮影し，その画像情報を生体情報としてユーザ端末３から管理システム２に対して送る。
【０１３２】
ユーザ情報登録処理部２０は，当該追加された家族のユーザ識別情報に対応づけて，追加した家族の属性情報，生体情報をユーザ情報記憶部２１に記憶させる。また，ユーザ端末３では登録が行えたことを示す登録完了画面（図４２）が表示され，トップ画面において「家族情報」を押下した際に表示される家族一覧画面では，追加された家族の情報が表示される（図４３）。
【０１３３】
一方，追加された家族は，その者が利用するユーザ端末３において同様に，本発明で用いるアプリケーションソフトウェアがダウンロードされ，インストールされている。また同様に生体情報，医療関連情報，医療履歴情報なども，実施例１および実施例２と同様に登録可能である。
【０１３４】
そして家族として関連付けを行う場合には，追加された家族が利用するユーザ端末３のトップ画面（図４４）から「家族情報」を押下する。それによって，家族の追加操作，たとえば「家族を追加する」の選択を受け付けることで，家族情報入力画面が表示され，その画面において，追加用情報を入力し，「家族を追加登録する」を押下することで，当該家族の追加用情報をユーザ情報登録処理部２０で受け付けると（Ｓ８４０），当該追加用情報と，Ｓ８１０で発行した追加用情報とをマッチングし，合致した場合には（Ｓ８５０），それらを家族として関連付けてユーザ情報記憶部２１に記憶させる（Ｓ８６０）。具体的には，ユーザ情報記憶部２１において，相互に家族としての関連付けを行えばよい。これによって，家族としての関連付けが行われる。
【０１３５】
なお，追加用情報として招待コードの場合を説明したが，招待コードを含む１次元コード，２次元コードなどのコードを表示し，それを追加した家族のユーザ端末３で読み取ることで，自動的に上述と同様の処理を実行し，追加用情報の入力を省略するようにしてもよい。
【０１３６】
また，追加した家族の属性情報，生体情報，医療関連情報，医療履歴情報などの登録処理は，当該家族のユーザ端末３から行うほか，当該家族として対応づけられている者から行えてもよい。すなわち，ユーザが「山田太郎」であり，追加された家族が「山田花子」の場合，「山田花子」のユーザ端末３から，「山田花子」の属性情報，生体情報，医療関連情報，医療履歴情報などの登録処理が行えることは当然であるが，家族として関連付けられている「山田太郎」のユーザ端末３から，「山田花子」の属性情報，生体情報，医療関連情報，医療履歴情報などの登録処理が行えてもよい。この場合，「山田太郎」が利用するユーザ端末３の家族一覧画面から，情報を追加する家族として「山田花子」を選択することで，選択された家族のトップ画面（図４４）を表示させる。そして，家族のトップ画面から，図４乃至図７のフローチャートと同様の処理を実行することで，「山田太郎」のユーザ端末３から，「山田花子」の各情報の入力を行い，「山田花子」の情報としてユーザ情報記憶部２１，医療履歴情報記憶部２３に記憶させることができる。
【０１３７】
これを実現するため，家族のトップ画面から上述の各処理が行われる場合には，情報登録の対象として追加対象となる家族（上述では「山田花子」）のユーザ識別情報が送られることで，制御可能である。
【０１３８】
家族に関する情報が登録されることで，仮に，ユーザが救急搬送された場合には，上述の実施例１と同様に，救急隊が現場に到着をして，若しくは医療機関に搬送されて，救急隊員や医療機関の医療従事者などが，ユーザやユーザの近くにいる人から聴取したユーザの情報に基づいて検索をする。あるいは，ユーザの生体情報を取得して検索をする。そして，合致するユーザがいた場合には，該当したユーザの属性情報，生体情報，医療関連情報の一部または全部をユーザ情報記憶部２１から，医療履歴情報の一部または全部を医療履歴情報記憶部２３から抽出するが，この際に，あわせて本実施例で登録している当該ユーザに関連付けられた家族の属性情報も抽出する。
【０１３９】
そして抽出した家族の属性情報も救急隊端末４，医療機関端末５に送る。そして，救急隊端末４，医療機関端末５は，家族の属性情報における連絡先情報に基づいて，当該家族のユーザ端末３に対して，ユーザ（家族）が救急搬送されていること，搬送先の医療機関などを通知可能にすることができる。なお，救急隊端末４，医療機関端末５に送るほか，管理システムが当該ユーザの家族の属性情報のうち，電話番号，電子メールアドレス，ＳＮＳのＩＤ，通話アプリケーションのＩＤなどの連絡先情報に基づいて，ユーザ（家族）が救急搬送されていること，搬送先の医療機関などを通知可能としてもよい。この場合，自動音声電話，家族のユーザ端末３に対するアプリケーションの自動通知などを利用してもよい。
【実施例４】
【０１４０】
上述の実施例１乃至実施例３に加えて，ユーザ情報としては，ユーザの属性情報，生体情報，医療関連情報のほか，尊厳死に対する意思表示（Ｌｉｖｉｎｇ  Ｗｉｌｌ），心停止時に蘇生行為を希望するか否かの意思表示，臓器提供意思の有無の意思表示など，自らの生死に関する意思表示についての情報を含めてもよい。
【０１４１】
これらの生死に関する意思表示は，自らの生死に関する処遇に直結する情報であるから，ほかのユーザ情報，たとえば属性情報，生体情報，医療関連情報とは異なり，当該ユーザ以外の家族により認証されたことを証明可能なように構成をしてもよい。
【０１４２】
たとえば，ユーザが自らのユーザ端末３において，生死に関する意思表示についての情報を入力した場合には，ユーザ情報登録処理部２０は，上記入力を受け付けた生死に関する意思表示をユーザ情報記憶部２１に当該ユーザのユーザ識別情報に対応づけて記憶させるが，仮登録であることを示すフラグを立てる。そして仮登録であるフラグがある状態においては，家族が承諾している意思表示ではないとして，救急隊処理部２４や医療機関処理部２５が，当該ユーザの情報を救急隊端末４，医療機関端末５に送信する際に，生死に関する意思表示の情報は送信しない。また，ユーザ端末３において非表示とする，あるいは，家族が承諾している意思表示ではないことの表示を行う。
【０１４３】
一方，ユーザ情報登録処理部２０は，上述の入力がなされると，上述の実施例３において追加した家族のユーザ端末３（入力したユーザのユーザ端末３とは異なる端末）に対して，生死に関する意思表示がなされた旨の通知を行い，この意思表示を承諾するか否かのメッセージを表示させる。そして当該家族により，家族のユーザ端末３から承諾の操作がなされたことをユーザ情報登録処理部２０で受け付けると，ユーザ情報記憶部２０に記憶した仮登録であることを示すフラグを，正式登録されたことのフラグに変更する。この状態において，家族が承諾している意思表示であるとして，救急隊処理部２４や医療機関処理部２５が，当該ユーザの情報を救急隊端末４，医療機関端末５に送信する際に，生死に関する意思表示の情報を送信する。また，ユーザ端末３において表示可能とする，あるいは，家族が承諾している意思表示であることの表示を行う。
【０１４４】
なお，上述の意思表示は極めて重要な意思表示であるので，担当者による確認作業を介してもよい。この場合，ユーザ端末３から生死に関する意思表示の情報の入力をユーザ情報登録処理部２０で受け付け，ユーザ情報記憶部２１に仮登録のフラグを立てて記憶させる。そのことが，救急医療支援システム１の管理を行う会社の担当者に通知される。そして，この通知を受けて，担当者がユーザの属性情報に基づいて，意思確認を行うための書類発送の手続きを行い，その書類を救急医療支援システム１の管理を行う会社などが受領して，担当者が実際に目視により書類を確認することで，当該ユーザのユーザ情報記憶部２１において，生死に関する意思表示の情報のフラグを正式登録に変更するようにしてもよい。
【０１４５】
なお，仮登録のフラグが立てられることで，書類の作成，発送手続きなどは自動で行えるようにし，書類の目視による確認等を担当者が行うようにしてもよい。
【０１４６】
この書類は，意思表示をした本人の署名，捺印が記入されるほか，家族の署名，捺印などが要求されてもよい。
【実施例５】
【０１４７】
また，本発明の救急医療支援システム１の別の実施態様として，救急隊ではなく消防指令センターに対して，情報を伝えるように構成することもできる。すなわち，１１９番による救急隊の出動を管理する消防指令センターが利用するコンピュータシステムに，救急活動を必要としている傷病者の属性情報，生体情報，医療関連情報，医療履歴情報などの情報を送るようにすることもできる。この場合の救急医療支援システム１のシステム構成の一例を図４５に示す。
【０１４８】
指令センター処理部２６は，消防指令センターが利用するコンピュータシステムとの間で情報の送受信を行う。たとえば消防指令センターからユーザ識別情報を受け取り，そのユーザ識別情報に該当するユーザの属性情報，生体情報，医療関連情報をユーザ情報記憶部２１から検索する。そして，そのユーザの属性情報，医療関連情報，生体情報の一部または全部をユーザ情報記憶部２１から抽出し，消防指令センターのコンピュータシステムに送る。また，あわせて，当該ユーザの医療履歴情報の一部または全部を医療履歴情報記憶部２３から検索して抽出し，消防指令センターのコンピュータシステムに送る。
【０１４９】
本実施例の場合，たとえば，ユーザである「山田太郎」のユーザ端末３において，図３６のトップ画面から「１１９」を選択することで，家族の選択画面（図４６）を表示する。そしてその選択画面から救急活動を必要とする傷病者，たとえば「山田花子」が押下されて選択され，「１１９番に電話をかける」が選択されることで，ユーザ端末３において電話機能が起動する。そして，図４７に示す発信画面で「発信」が選択されることで，１１９番の電話の発信がされて消防指令センターに架電される。また，ユーザ端末３は，救急活動が必要な「山田花子」のユーザ識別情報を消防指令センターのコンピュータシステムに送る。
【０１５０】
この情報を受け付けた消防指令センターのコンピュータシステムは，受け付けたユーザ識別情報のユーザの属性情報，生体情報，医療関連情報，医療履歴情報の一部または全部を管理システム２のユーザ情報記憶部２１，医療履歴情報記憶部２３から抽出し，抽出した各情報を消防指令センターのコンピュータシステムに送る。
【０１５１】
消防指令センターでは，管理システム２から受け取った情報を確認し，また場合によっては，当該傷病者，ここでは「山田花子」の救急活動に出動している救急隊が利用する救急隊端末４に対して，管理システム２から受け取った情報を送るようにしてもよい。これによって，救急隊員は自ら検索等を行う必要がなくなる。また，消防指令センターでは，「山田花子」の搬送先の医療機関が利用する医療機関端末５に対して，管理システム２から受け取った情報を送るようにしてもよい。これによって，医療従事者は自ら検索等を行う必要がなくなる。
【０１５２】
また，上述では，ユーザ端末３から識別情報が送られた場合であったが，電話番号による処理が行われてもよい。この場合，消防指令センターに対して発信者番号通知がなされて１１９番通報がなされたとき，その発信者番号を受け取った消防指令センターのコンピュータシステムは，管理システム２に対して当該電話番号を送る。そして指令センター処理部２６は，消防指令センターのコンピュータシステムから受け取った電話番号に基づいて，ユーザ情報記憶部２１のユーザの属性情報を検索する。
【０１５３】
もし合致する電話番号があった場合，指令センター処理部２６は，その通報者（傷病者またはその家族）の属性情報，生体情報，医療関連情報，医療履歴情報の一部または全部をユーザ情報記憶部２１，医療履歴情報記憶部２３から抽出し，抽出した各情報を消防指令センターのコンピュータシステムに送る。
【０１５４】
そして，上述と同様に，消防指令センターでは，管理システム２から受け取った情報を確認し，また場合によっては，当該通報者の救急活動に出動している救急隊が利用する救急隊端末４に対して，管理システム２から受け取った情報を送る。これによっても，救急隊員は自ら検索等を行う必要がなくなる。また，消防指令センターでは，通報者（傷病者またはその家族）の搬送先の医療機関が利用する医療機関端末５に対して，管理システム２から受け取った情報を送る。これによって，医療従事者は自ら検索等を行う必要がなくなる。
【０１５５】
なお，消防指令センターのコンピュータシステムを介することなく，管理システム２が，救急隊端末４，医療機関端末５に対して，１１９番通報をしたユーザの属性情報，生体情報，医療関連情報，医療履歴情報の一部または全部を送るようにしてもよい。
【０１５６】
ユーザ自らが通報をする場合には，ユーザに関連付けられている家族の属性情報をユーザ情報記憶部２１から抽出し，その属性情報を，指令センター処理部２６は，消防指令センターのコンピュータシステムに送る。そして消防指令センターのコンピュータシステムが，その家族の属性情報を救急隊端末４，医療機関端末５に対して送り，救急隊員，医療機関の医療従事者から，当該家族に対して当該ユーザが搬送されたことを通知するようにしてもよい。
【０１５７】
また，通報を行ったユーザ端末３と，図４６で示す選択画面から救急活動を必要とする傷病者であるユーザとが相違する場合，通報を行ったユーザ端末３のユーザ以外に，傷病者であるユーザに家族が関連付けられている場合，家族の属性情報を抽出し，救急隊端末４，医療機関端末５に対して送り，通報を行ったユーザ端末３のユーザ以外の家族のユーザ端末３に対して，傷病者であるユーザが搬送されたことを通知するようにしてもよい。
【産業上の利用可能性】
【０１５８】
本発明の救急医療支援システム１を用いることで，救急医療の現場における，不足する情報や不確実な情報のもとで救急医療を行わなければならないという実務上の課題について，従来よりも精度の高い情報提供を行えるという点で資することとなる。
【符号の説明】
【０１５９】
１：救急医療支援システム
２：管理システム
３：ユーザ端末
４：救急隊端末
５：医療機関端末
２０：ユーザ情報登録処理部
２１：ユーザ情報記憶部
２２：医療履歴情報登録処理部
２３：医療履歴情報記憶部
２４：救急隊処理部
２５：医療機関処理部
２６：指令センター処理部
７０：演算装置
７１：記憶装置
７２：表示装置
７３：入力装置
７４：通信装置
【図１】
2020204924.tif 000003
【図２】
2020204924.tif 000004
【図３】
2020204924.tif 000005
【図４】
2020204924.tif 000006
【図５】
2020204924.tif 000007
【図６】
2020204924.tif 000008
【図７】
2020204924.tif 000009
【図８】
2020204924.tif 000010
【図９】
2020204924.tif 000011
【図１０】
2020204924.tif 000012
【図１１】
2020204924.tif 000013
【図１２】
2020204924.tif 000014
【図１３】
2020204924.tif 000015
【図１４】
2020204924.tif 000016
【図１５】
2020204924.tif 000017
【図１６】
2020204924.tif 000018
【図１７】
2020204924.tif 000019
【図１８】
2020204924.tif 000020
【図１９】
2020204924.tif 000021
【図２０】
2020204924.tif 000022
【図２１】
2020204924.tif 000023
【図２２】
2020204924.tif 000024
【図２３】
2020204924.tif 000025
【図２４】
2020204924.tif 000026
【図２５】
2020204924.tif 000027
【図２６】
2020204924.tif 000028
【図２７】
2020204924.tif 000029
【図２８】
2020204924.tif 000030
【図２９】
2020204924.tif 000031
【図３０】
2020204924.tif 000032
【図３１】
2020204924.tif 000033
【図３２】
2020204924.tif 000034
【図３３】
2020204924.tif 000035
【図３４】
2020204924.tif 000036
【図３５】
2020204924.tif 000037
【図３６】
2020204924.tif 000038
【図３７】
2020204924.tif 000039
【図３８】
2020204924.tif 000040
【図３９】
2020204924.tif 000041
【図４０】
2020204924.tif 000042
【図４１】
2020204924.tif 000043
【図４２】
2020204924.tif 000044
【図４３】
2020204924.tif 000045
【図４４】
2020204924.tif 000046
【図４５】
2020204924.tif 000047
【図４６】
2020204924.tif 000048
【図４７】
2020204924.tif 000049